(57)【特許請求の範囲】
【請求項１】
被検眼を撮影手段により撮影するように構成された眼科撮影装置において、
基台と、
昇降させたり前後左右にスライドさせたりできるように前記基台に搭載された架台と、
被検眼の前眼部にほぼ接している略鉛直な第１軸を中心として略水平方向に揺動するように前記架台に支持された首振り手段と、
該首振り手段に取り付けられると共に、被検眼の前眼部にほぼ接している略水平な第２軸を中心として略上下方向に揺動するように前記撮影手段を支持する俯仰手段と、
前記首振り手段に取り付けられて、前記第１軸を中心として前記撮影手段と一体的に揺動するように構成されたモニター手段と、
を備えたことを特徴とする眼科撮影装置。
【請求項２】
前記モニター手段は、前記撮影手段のファインダー部と略同じ方向を向くように配置された、
ことを特徴とする請求項１に記載の眼科撮影装置。
【請求項３】
前記首振り手段は、略水平方向に揺動するように支持されたアーム部材であり、
前記俯仰手段は、前記第２軸を中心とした仮想円弧に沿うように湾曲されたレール部材と、該レール部材上を転動するように前記撮影手段に回転自在に支持された転動輪と、該転動輪を適宜転動させると共に該転動を禁止して前記撮影手段を前記レール部材上の所望の位置に停止させる操作部材と、からなる、
ことを特徴とする請求項１又は２に記載の眼科撮影装置。
【請求項４】
前記モニター手段は、前記首振り手段上における略水平な第３軸を中心として略上下方向に揺動できるように前記首振り手段に取り付けられた、
ことを特徴とする請求項１乃至３のいずれか１項に記載の眼科撮影装置。
【請求項５】
前記モニター手段はタッチパネルである、
ことを特徴とする請求項１乃至４のいずれか１項に記載の眼科撮影装置。
【発明の詳細な説明】
【技術分野】
【０００１】
本発明は、被検眼を撮影手段により撮影するように構成した眼科撮影装置に関する。
【背景技術】
【０００２】
従来、被検眼の眼底や前眼部などを撮影する眼科撮影装置としては種々の構成のものが提案されている（例えば、特許文献１及び２参照）。
【０００３】
図４は、従来の眼科撮影装置の構成の一例を示す模式図であり、符号Ｅは被検眼を示し、符号１００は、該被検眼Ｅを撮影するための撮影手段を示し、符号１０１は、撮影に必要な種々の情報を表示するモニター手段を示す。また、図５は、従来の眼科撮影装置の構成の他の例を示す模式図であり、符号２００は、被検眼を撮影するための撮影手段を示し、符号２０１は、撮影に必要な種々の情報を表示するモニター手段を示す。
【０００４】
また、このような眼科撮影装置においては被検眼を正面から撮影するだけでなく、撮影手段を揺動させて被検眼を斜めの方向から撮影できるものもあった。図４中の符号１０２は、前記撮影手段１００を鉛直軸Ａ１の周りに揺動させる首振り手段を示し、符号１０２は、前記撮影手段１００を俯仰する（つまり、矢印Ｂ２の方向に揺動させる）俯仰手段を示す。
【先行技術文献】
【特許文献】
【０００５】
【特許文献１】特開２００６−２６０９７号公報
【特許文献２】特開２００８−２７２２５９号公報
【発明の概要】
【発明が解決しようとする課題】
【０００６】
ところで、上記従来の眼科撮影装置においてはモニター手段１０１，２０１が撮影手段１００，２００に取り付けられているため、該撮影手段１００，２００を俯仰させた場合にはモニター手段１０１，２０１も一緒に上方又は下方に揺動されてしまい、該モニター手段１０１，２０１の角度が変わって表示が見にくくなってしまうという問題があった。
【０００７】
本発明は、上述の問題を解消することのできる眼科撮影装置を提供することを目的とするものである。
【課題を解決するための手段】
【０００８】
請求項１に係る発明は、図１に例示するものであって、被検眼（Ｅ）を撮影手段（７）により撮影するように構成された眼科撮影装置（１）において、
基台（３）と、
昇降させたり前後左右にスライドさせたりできるように前記基台（３）に搭載された架台（４）と、
被検眼（Ｅ）の前眼部にほぼ接している略鉛直な第１軸（Ａ１）を中心として略水平方向（図２の矢印Ｂ１参照）に揺動するように前記架台（４）に支持された首振り手段（６）と、
該首振り手段（６）に取り付けられると共に、被検眼（Ｅ）の前眼部にほぼ接している略水平な第２軸（図２の符号Ａ２参照）を中心として略上下方向（Ｂ２）に揺動するように前記撮影手段（７）を支持する俯仰手段（８）と、
前記首振り手段（６）に取り付けられて、前記第１軸（Ａ１）を中心として前記撮影手段（７）と一体的に揺動するように構成されたモニター手段（９）と、を備えたことを特徴とする。
【０００９】
請求項２に係る発明は、請求項１に係る発明において、前記モニター手段（９）は、前記撮影手段（７）のファインダー部（７ａ）と略同じ方向を向くように配置されたことを特徴とする。
【００１０】
請求項３に係る発明は、請求項１又は２に係る発明において、前記首振り手段（６）は、略水平方向（Ｂ１）に揺動するように支持されたアーム部材であり、
前記俯仰手段（８）は、前記第２軸（Ａ２）を中心とした仮想円弧（Ｃ）に沿うように湾曲されたレール部材（８ａ）と、該レール部材（８ａ）上を転動するように前記撮影手段（７）に回転自在に支持された転動輪（不図示）と、該転動輪を適宜転動させると共に該転動を禁止して前記撮影手段（７）を前記レール部材（８ａ）上の所望の位置に停止させる操作部材（８ｂ）と、からなることを特徴とする。
【００１１】
請求項４に係る発明は、請求項１乃至３のいずれか１項に記載の発明において、前記モニター手段（９）は、前記首振り手段（６）上における略水平な第３軸（Ａ３）を中心として略上下方向（Ｂ３）に揺動できるように前記首振り手段（６）に取り付けられたことを特徴とする。
【００１２】
請求項５に係る発明は、請求項１乃至４のいずれか１項に記載の発明において、前記モニター手段（９）はタッチパネルであることを特徴とする。
【００１３】
なお、括弧内の番号などは、図面における対応する要素を示す便宜的なものであり、従って、本記述は図面上の記載に限定拘束されるものではない。
【発明の効果】
【００１４】
請求項１乃至３に係る発明によれば、前記モニター手段は、前記撮影手段には取り付けられていないので、該撮影手段を俯仰させた場合でも該モニター手段は上方又は下方に揺動されることはなく、表示が見にくくなってしまうことは無い。また、該モニター手段は前記首振り手段に取り付けられているので、前記撮影手段を略水平方向に揺動させた場合には該撮影手段と一体的に揺動されるので、検者が視認し易い位置に配置されることとなる。
【００１５】
請求項４に係る発明によれば、画面を見やすいようにモニター手段の角度調整をすることができる。
【００１６】
請求項５に係る発明によれば、モニター手段を使って種々の指示を行うことができる。
【図面の簡単な説明】
【００１７】
【図１】図１は、本発明に係る眼科撮影装置の構成の一例を示す側面図である。
【図２】図２は、本発明に係る眼科撮影装置の構成の一例を示す平面図である。
【図３】図３は、本発明に係る眼科撮影装置の構成の一例を示す正面図である。
【図４】図４は、従来の眼科撮影装置の構成の一例を示す模式図である。
【図５】図５は、従来の眼科撮影装置の構成の他の例を示す模式図である。
【図６】図６は、第１軸等の位置を説明するための斜視図である。
【発明を実施するための形態】
【００１８】
以下、図１乃至図３に沿って、本発明の実施の形態について説明する。
【００１９】
本発明に係る眼科撮影装置は、被検者の被検眼を撮影及び観察するための装置であって、
図１に符号１で例示するように、被検者の顔を支持する顔支持手段２Ａ，２Ｂと、該顔支持手段２Ａ，２Ｂが搭載される基台３と、を備えている。なお、前記顔支持手段２Ａ，２Ｂとしては、被検者の顎を載せるための顎台（符号２Ａ参照）や、被検者の額を当てるための額当て部（符号２Ｂ参照）等を挙げることができる。
【００２０】
また、この基台３には、昇降手段（不図示）及びスライド手段（同じく不図示）を介して架台４が搭載されており、該架台４を昇降させたり前後左右にスライド（水平移動）させたりできるように構成されている。図示の装置においては、これらの昇降手段及びスライド手段の操作をジョイスティック５により行うようになっているが、もちろんこれに限られるものではなく、他の操作手段によって行うようにしても良い。
【００２１】
さらに、上述の架台４には、被検眼Ｅの前眼部にほぼ接している（厳密にいうと前眼部の虹彩位置にほぼ相当する瞳位置を通る）略鉛直な軸（図１及び図６に符号Ａ１で示す軸であって、以下、“第１軸”とする）を中心として略水平方向（図２の矢印Ｂ１参照）に揺動するように首振り手段６が支持されており、該首振り手段６には、被検眼Ｅを撮影又は観察するための撮影手段７が俯仰手段８を介して支持されている。この俯仰手段８は、被検眼Ｅの前眼部にほぼ接している（瞳位置を通る）略水平な軸（図２及び図６に符号Ａ２で示す軸であって、以下、“第２軸”とする）を中心として前記撮影手段７を略上下方向（図１の矢印Ｂ２参照）に揺動（俯仰）できるように該撮影手段７を支持している。つまり、該撮影手段７は、前記架台４上に搭載されているので被検眼Ｅに応じた位置に昇降及び／又は水平移動させることができる。また、前記撮影手段７は上述のように首振り手段６及び俯仰手段８によって支持されているため、被検眼Ｅを正面から撮影するだけでなく斜めの方向からも撮影できる。なお、前記撮影手段７の内部には照明光学系や撮影光学系が格納されているが、それらについての説明は省略する。また、図示の首振り手段６としては、前記第１軸Ａ１を中心として略水平方向Ｂ１に揺動するように支持されたアーム部材を挙げることができる。さらに、図示の俯仰手段８としては、
・  前記第２軸Ａ２を中心とした仮想円弧Ｃに沿うように湾曲されたレール部材８ａと、
・  該レール部材８ａ上を転動するように前記撮影手段７に回転自在に支持された転動輪（不図示）と、
・  該転動輪を適宜転動させると共に該転動を禁止して前記撮影手段７を前記レール部材８ａ上の所望の位置に停止させる操作部材８ｂと、
により構成したものを挙げることができる。なお、図６中の符号Ｄは、被検眼Ｅの光軸（基準光軸）を示す。
【００２２】
一方、前記俯仰手段８や前記撮影手段７にではなく前記首振り手段６にはモニター手段９が取り付けられていて、該モニター手段９は、前記第１軸Ａ１を中心として前記撮影手段７と一体的に揺動するように構成されている。したがって、このモニター手段９は、
・  前記撮影手段７が該首振り手段６によって略水平方向Ｂ１に揺動される場合には該撮影手段７と共に一体的に揺動し、
・  前記撮影手段７が前記俯仰手段８によって俯仰される場合には、揺動されずに静止する、
こととなる。このモニター手段９としては、液晶モニター等の公知のモニターを挙げることができ、該モニター手段９には、被検眼Ｅの観察や撮影に必要な画像を表示すれば良く、例えば、
・  被検眼Ｅに位置合わせをする際の画像や、
・  ピント合わせをする際の画像や、
・  赤外光を使って撮影している被検眼の画像や、
・  撮影情報
等を表示すれば良い。また、このモニター手段９は、前記撮影手段７のファインダー部７ａと略同じ方向を向くように配置しておくと良い（つまり、図３に示すように、検者の方向を向くように配置すると良い）。さらに、該モニター手段９をタッチパネルとしても良く、その場合には、種々のボタン（例えば、固視方法の選択のためのボタン）を該モニター手段９に表示するようにすると良い。そのようにした場合には、モニター手段９を使って種々の指示を行うことができる。なお、図示のモニター手段９は、前記首振り手段６上における略水平な軸（図１に符号Ａ３で示す軸であって、以下、“第３軸”とする）を中心として略上下方向Ｂ３に揺動できるように該首振り手段６に取り付けておくと良い。そのようにした場合には、画面を見やすいようにモニター手段９の角度調整をすることができる。
【００２３】
本発明によれば、前記モニター手段９は、前記撮影手段７には取り付けられていないので、該撮影手段７を俯仰させた場合でも該モニター手段９は上方又は下方に揺動されることはなく、表示が見にくくなってしまうことは無い。また、該モニター手段９は前記首振り手段６に取り付けられているので、前記撮影手段７を略水平方向Ｂ１に揺動させた場合には該撮影手段７と一体的に揺動されるので、検者が視認し易い位置に配置されることとなる。
【００２４】
なお、本発明に係る眼科撮影装置は、眼底を撮影するための眼科撮影装置のみならず、前眼部を撮影するための眼科撮影装置や、その他の部分を撮影するための眼科撮影装置を含むものとする。
【符号の説明】
【００２５】
１            眼科撮影装置
６            首振り手段
７            撮影手段
７ａ          ファインダー部
８            俯仰手段
８ａ          レール部材
８ｂ          操作部材
９            モニター手段
Ａ１          第１軸
Ａ２          第２軸
Ａ３          第３軸
Ｂ１          略水平方向
Ｂ２          略上下方向
Ｅ            被検眼（Ｅ）
P            被検眼瞳位置（P）
【図１】
0005667394.tif 000002
【図２】
0005667394.tif 000003
【図３】
0005667394.tif 000004
【図４】
0005667394.tif 000005
【図５】
0005667394.tif 000006
【図６】
0005667394.tif 000007